(57)【要約】【課題】打楽器から放射される音の多様化を図り、打楽器の表現力や機能性を向上できるようにする。【解決手段】少なくとも一つの開口１１を有するシェル２と、シェル２の開口１１に取り付けられたヘッド３と、シェル２の内側に設けられ、入力信号に応じて音を出力するスピーカ５と、を備える打楽器１を提供する。【選択図】図１
2018189911.tif 000002
【特許請求の範囲】
【請求項１】
少なくとも一つの開口を有するシェルと、
前記シェルの開口に取り付けられたヘッドと、
前記シェルの内側に設けられ、入力信号に応じて音を出力するスピーカと、を備える打楽器。
【請求項２】
スピーカは、音を前記シェルの壁部に向けて出力するように配されている請求項１に記載の打楽器。
【請求項３】
スピーカは、音を前記シェルの開口に向けて出力するように配されている請求項１に記載の打楽器。
【請求項４】
スピーカは、前記シェルの壁部及び前記シェルの開口の両方に向けて音を出力するように配されている請求項１に記載の打楽器。
【請求項５】
スピーカは、打楽器の所定部位に対する打撃に応じて音を出力する請求項１から請求項４のいずれか一項に記載の打楽器。
【発明の詳細な説明】
【技術分野】
【０００１】
本発明は、打楽器に関する。
【背景技術】
【０００２】
筒状のシェルと、シェルの開口に取り付けられたヘッドとを有する打楽器では、ヘッドを打撃することで、ヘッドが振動し、生の音が打楽器から放射される。
特許文献１には、シェルの内側に、ヘッドの振動を電気信号に変換する振動ピックアップを設けた打楽器が開示されている。振動ピックアップにおいて取得された電気信号は、ヘッドホンやスピーカ等の拡声装置から音として放音される。
【先行技術文献】
【特許文献】
【０００３】
【特許文献１】特開２００７−１５６０４８号公報
【発明の概要】
【発明が解決しようとする課題】
【０００４】
ところで、従来の打楽器から放射される音は、ヘッド等の打楽器の部位を振動させることで発生する音（生の音）だけである。この種の打楽器には、打楽器の表現力や機能性を向上できるように、打楽器から放射される音の多様化を図ることが求められている。
【０００５】
本発明は、上述した事情に鑑みてなされたものであって、打楽器から放射される音の多様化を図り、打楽器の表現力や機能性を向上できる打楽器を提供することを目的とする。
【課題を解決するための手段】
【０００６】
本発明の打楽器は、少なくとも一つの開口を有するシェルと、前記シェルの開口に取り付けられたヘッドと、前記シェルの内側に設けられ、入力信号に応じて音を出力するスピーカと、を備える。
【発明の効果】
【０００７】
本発明によれば、ヘッド等の打楽器の所定部位を打撃した音（生の音）だけではなく、スピーカの音も打楽器から放射できる。これにより、打楽器から放射される音の多様化を図ることができる。したがって、打楽器の表現力、機能性の向上を図ることができる。
【図面の簡単な説明】
【０００８】
【図１】本発明の第一実施形態に係る打楽器を示す断面図である。
【図２】本発明の第二実施形態に係る打楽器を示す断面図である。
【図３】本発明の第三実施形態に係る打楽器を示す断面図である。
【図４】本発明の第三実施形態の変形例に係る打楽器を示す断面図である。
【発明を実施するための形態】
【０００９】
〔第一実施形態〕
以下、図１を参照して本発明の第一実施形態について説明する。
図１に示すように、本実施形態に係る打楽器１は、シェル２（胴部）と、ヘッド（膜部）３と、スピーカ（放音部）５と、を備える。
【００１０】
シェル２は、内部に空洞を有し、かつ、空洞を外部につなげる開口１１を有する。シェル２の形状は任意であってよい。シェル２は、例えばティンパニ等のように開口１１を一つ有する椀状に形成されてよいし、軸方向の両端に開口１１を有する筒状に形成されていてもよい。また、シェル２は、例えば角筒状に形成されてもよいし、例えばボンゴ、コンガ等のようにシェル２の軸方向においてシェル２の径寸法（内径寸法、外形寸法）が変化する形状に形成されてもよい。本実施形態のシェル２は、シェル２の軸方向（図１における上下方向）において径寸法が変化しない円筒状に形成されている。
シェル２は、木材や金属などの材料によって構成されてよい。
【００１１】
ヘッド３は、ＰＥＴ（ポリエチレンテレフタレート）フィルム等のように膜状に形成され、シェル２の開口１１に取り付けられる。ヘッド３がシェル２の開口１１に取り付けられた状態において、ヘッド３のうちシェル２の開口１１の縁部１１Ａの内側に配される部位２１（以下、ヘッド３の内側膜部２１と呼ぶ。）には、テンションが付与される。これにより、ヘッド３の内側膜部２１に打撃等の外力が作用した際には、ヘッド３の内側膜部２１が振動する。
【００１２】
ヘッド３の内側膜部２１にテンションを付与する構成は任意であってよい。本実施形態では、シェル２の外周に配される従来周知のフープ６、ラグ（不図示）及びチューニングボルト（不図示）を用い、ヘッド３のフレッシュフープ２２をシェル２の軸方向に押すことで、ヘッド３の内側膜部２１にテンションが付与される。
ヘッド３は、例えばシェル２の一方の開口１１のみに取り付けられてもよいが、本実施形態ではシェル２の二つの開口１１，１１にそれぞれ取り付けられている。本実施形態の打楽器１は、二つのヘッド３，３のうち一方（第一ヘッド３Ａ）がスティック等で打撃されるバターヘッドをなし、他方のヘッド３（第二ヘッド３Ｂ）が打撃されないレゾナンスヘッドをなすドラムである。
【００１３】
スピーカ５は、シェル２の内側に設けられ、入力信号に応じた音を出力する。スピーカ５の構成は、任意であってよい。本実施形態のスピーカ５は、入力信号としての電気信号に基づいて振動する加振器３１と、加振器３１と共に振動することで音を放射する振動板３２と、を備える。
加振器３１は、例えばボイスコイル型のアクチュエータであってよい。振動板３２は、図示例のようなコーン形状（円錐状、円錐台状）に限らず、例えば平板状など任意に形成されてよい。本実施形態において、加振器３１及び振動板３２の配列方向におけるスピーカ５の寸法は、配列方向に直交する方向におけるスピーカ５の寸法よりも小さい。
【００１４】
スピーカ５は、例えば点音源のように全方位に音を放射するように構成されてもよい。本実施形態のスピーカ５は、ある程度限られた方向に音を出力するように（ある程度の指向性を有するように）構成されている。本実施形態において、スピーカ５から出力される音の主な伝播方向は、加振器３１と振動板３２とを配列した方向（図１において矢印Ｄ１で示す方向）である。より具体的に、本実施形態のスピーカ５では振動板３２がコーン形状に形成されている。このため、スピーカ５から出力される主な音は、コーン形状とされた振動板３２の内面からＤ１方向を中心とした球面波として伝播する。また、本実施形態のスピーカ５では、コーン形状とされた振動板３２の外面からＤ１方向と逆の方向やＤ１方向に対して直交する方向にも音（以下、他の音と呼ぶ）が伝わる。
【００１５】
本実施形態のスピーカ５は、音をシェル２の壁部１３に向けて出力するように配されている。具体的に、スピーカ５は、音をシェル２の壁部１３に形成された貫通孔１５Ａ（第一貫通孔１５Ａ）に向けて出力するように配されている。スピーカ５から出力される主な音は、主にシェル２の径方向（図１においてＤ１方向）に伝播する。スピーカ５から出力される主な音は、スピーカ５からシェル２の壁部１３や壁部１３に形成された第一貫通孔１５Ａに直接到達し、シェル２の開口１１や開口１１に取り付けられたヘッド３には直接到達しない。これにより、スピーカ５から出力された音は、第一貫通孔１５Ａを通してシェル２（打楽器１）の外部に積極的に放射される。
スピーカ５は、例えばシェル２の第一貫通孔１５Ａに対して間隔をあけて配されてもよいし、図示例のようにシェル２の第一貫通孔１５Ａを振動板３２で塞ぐように配されてもよい。スピーカ５は、直接または不図示の支持部材を介してシェル２に取り付けられることで、シェル２に保持されてよい。
【００１６】
本実施形態のシェル２の壁部１３には、第一貫通孔１５Ａとは別の貫通孔１５Ｂ（第二貫通孔１５Ｂ）が形成されている。第二貫通孔１５Ｂの大きさは第一貫通孔１５Ａと同じであってもよいし、異なっていてもよい。また、第二貫通孔１５Ｂの数は任意であってよい。第二貫通孔１５Ｂが複数である場合、複数の第二貫通孔１５Ｂは例えばシェル２の周方向に間隔をあけて配列されてよい。本実施形態における第二貫通孔１５Ｂの数は一つである。
第二貫通孔１５Ｂは、第一貫通孔１５Ａに対して任意に配列されてよいが、本実施形態ではシェル２の周方向に間隔をあけて配列されている。具体的に、本実施形態の第二貫通孔１５Ｂは、第一貫通孔１５Ａに対してシェル２の径方向に並ぶように配されている。すなわち、第一貫通孔１５Ａ及び第二貫通孔１５Ｂは、シェル２の内側から互いに逆向きにシェル２の外側に開口している。
【００１７】
上記したスピーカ５に対する入力信号は、少なくともスピーカ５から出力可能な音を表す信号（電気信号）であればよい。入力信号には、例えばスピーカ５の音量（スピーカ５から出力される音の大きさ）の情報が含まれてよい。
入力信号は、任意の外部装置から入力されてよい。入力信号は、例えば、オーディオ装置、携帯音楽プレーヤなどの楽音再生装置から出力される音（楽曲音、伴奏音）、各種楽器から出力される音（楽器音）、所定の電子機器から所定間隔で出力されるクリック音（メトロノーム音）を表す信号であってよい。
外部装置からスピーカ５への入力信号の伝達は、外部装置とスピーカ５とを接続する配線（有線）により行ってもよいし、無線通信により行ってもよい。
【００１８】
以上説明したように本実施形態の打楽器１によれば、入力信号に応じて音を出力するスピーカ５がシェル２の内側に設けられている。このため、ヘッド３やフープ６等の打楽器１の所定部位を打撃した音（生の音）だけではなく、スピーカ５から出力された音も打楽器１から放射することができる。これにより、打楽器１から放射される音の多様化を図ることができる。したがって、打楽器１の表現力、機能性の向上を図ることができる。
【００１９】
例えば、スピーカ５から楽曲音や伴奏音を出力することにより、打楽器１の演奏者は楽曲や伴奏にあわせて打楽器１を演奏することが可能となる。これにより、打楽器１の演奏時における表現力を向上することができる。また、例えば、スピーカ５からメトロノーム音や伴奏音などを出力することにより、打楽器１の練習を有効に行うこともできる。また、例えば、打楽器１を他の楽器と一緒に演奏する際に、他の楽器の楽器音をスピーカ５から出力することにより、打楽器１の演奏者は、他の楽器の楽器音に対して、打楽器１の所定部位を打撃するタイミングや強度（生の音の大きさ）を簡単に調整することができる。
【００２０】
また、本実施形態の打楽器１によれば、スピーカ５がシェル２の内側に設けられている。このため、スピーカ５から出力された音を、シェル２やヘッド３の音響的な特性が反映された音として打楽器１の外部に放射することができる。
【００２１】
また、本実施形態の打楽器１によれば、スピーカ５は、音をシェル２の壁部１３に向けて出力するように配されている。このため、スピーカ５の音がシェル２の開口１１に向けて出力されるようにスピーカ５を配した場合と比較して、シェル２の開口１１側（軸方向）から見たスピーカ５の大きさを小さくできる。これにより、ヘッド３を打撃した音（例えば音の伸びや抜け）が、スピーカ５によって阻害されることを好適に抑制できる。
特に、本実施形態の打楽器１では、スピーカ５がシェル２（壁部１３）の内周面の近くに配されている。このため、本実施形態の打楽器１におけるヘッド３の打撃音と、スピーカ５をシェル２内に設けない打楽器におけるヘッド３の打撃音との差をより小さく抑えることができる。すなわち、シェル２内へのスピーカ５の設置に基づく、ヘッド３の打撃音の変化をより小さく抑えることができる。
【００２２】
また、本実施形態の打楽器１によれば、スピーカ５は、シェル２の壁部１３に形成された複数の貫通孔１５のうち第一貫通孔１５Ａに対して設けられており、第二貫通孔１５Ｂに対して設けられていない。このため、スピーカ５から出力された音を、図１の矢印Ｄ１で示すように第一貫通孔１５Ａからだけではなく、図１の矢印Ｄ２で示すように第二貫通孔１５Ｂからシェル２の外部に放射することができる。すなわち、スピーカ５から出力された音を、打楽器１から様々な方向（特にシェル２の周方向における様々な方向）に放射できる。これにより、第二貫通孔１５Ｂを形成しない場合と比較して、打楽器１の外部に放射されるスピーカ５の音の音像をぼやかす（スピーカ５の音の指向性を低減する）ことができる。すなわち、スピーカ５から出力される音の定位性を改善することができる。
以上のことから、打楽器１の演奏者は、演奏者よりも打楽器１から離れた位置において打楽器１の演奏を聴く聴者と同様の感覚で、ヘッド３やフープ６等の打楽器１の所定部位を打撃した音、及び、スピーカ５の音の両方を聞き取ることができる。
【００２３】
また、本実施形態の打楽器１によれば、シェル２に形成された第二貫通孔１５Ｂが、第一貫通孔１５Ａに対してシェル２の径方向に並ぶように配されている。このため、スピーカ５の音をシェル２の第一貫通孔１５Ａ及び第二貫通孔１５Ｂから互いに逆向きにシェル２の外部に放射することができる（図１の矢印Ｄ１，Ｄ２参照）。これにより、シェル２に形成される貫通孔１５の数が少なくても、スピーカ５から出力される音の定位性を効果的に改善することができる。
【００２４】
また、本実施形態の打楽器１によれば、スピーカ５から出力された音（他の音）をヘッド３に向けて伝播させることもできる。このため、スピーカ５から出力する音の周波数をヘッド３の固有振動数にあわせた場合には、スピーカ５の音によってヘッド３を振動させて、ヘッド３の振動音をより大きくすることもできる。
【００２５】
上記第一実施形態の打楽器１は、例えばスピーカ５を複数備えてもよい。この場合、シェル２の壁部１３には、複数の第一貫通孔１５Ａが形成されてもよい。複数の第一貫通孔１５Ａは、例えばシェル２の周方向に間隔をあけて配列されてもよい。また、複数の第一貫通孔１５Ａのうち二つの第一貫通孔１５Ａは、例えばシェル２の径方向に並ぶように配列されてもよい。複数のスピーカ５は、音をそれぞれ別個の第一貫通孔１５Ａに向けて出力するように配されてもよい。このように複数のスピーカ５を配した構成であっても、打楽器１から外部に放射されるスピーカ５の音の音像をぼやかすことができる。すなわち、スピーカ５から出力される音の定位性を改善することができる。
【００２６】
〔第二実施形態〕
次に、図２を参照して本発明の第二実施形態について説明する。本実施形態では、第一実施形態と同様の構成要素について同一符号を付す等して、その説明を省略する。
【００２７】
図２に示すように、本実施形態の打楽器１Ｃは、第一実施形態と同様のシェル２と、ヘッド３と、スピーカ５と、を備える。
ただし、本実施形態の打楽器１Ｃにおいて、シェル２の壁部１３には、第一実施形態のような貫通孔１５（図１参照）が形成されていない。
【００２８】
また、本実施形態のスピーカ５は、音をシェル２の開口１１に向けて出力するように配されている。スピーカ５は、例えば音を第二ヘッド３Ｂ（レゾナンスヘッド）が取り付けられたシェル２の開口１１に向けて出力するように配されてもよい。本実施形態のスピーカ５は、音を第一ヘッド３Ａ（バターヘッド）が取り付けられたシェル２の開口１１に向けて出力するように配されている。図２においては、スピーカ５から出力される音の主な伝播方向を矢印Ｄ３で示している。
本実施形態において、スピーカ５から出力される主な音は、主にシェル２の軸方向（図２においてＤ３方向）に伝播する。スピーカ５から出力される主な音は、スピーカ５からシェル２の開口１１や開口１１に取り付けられた第一ヘッド３Ａに直接到達し、シェル２の壁部１３には直接到達しない。
【００２９】
スピーカ５は、例えばシェル２の開口１１側から見てシェル２の内部空間と同じ大きさに形成され、シェル２の内部空間をシェル２の軸方向に分割するように配されてもよい。本実施形態のスピーカ５は、シェル２の開口１１側から見てシェル２の内部空間よりも小さく形成されている。
スピーカ５は、例えばシェル２の壁部１３（内周面）に寄せた位置に配されてもよい。本実施形態のスピーカ５は、シェル２の壁部１３（内周面）から離れた位置、すなわち、シェル２の開口１１側から見てシェル２の内部空間の中央部分に位置している。また、本実施形態のスピーカ５は、シェル２の軸方向においてヘッド３が振動してもヘッド３と干渉しない位置に配されている。
【００３０】
本実施形態のスピーカ５は、支持部材４０Ｃを介してシェル２に取り付けられることで、シェル２に保持されている。支持部材４０Ｃは、少なくともシェル２内の空気による二つのヘッド３間の振動伝達を阻害しないように構成されればよい。本実施形態の支持部材４０Ｃは、スピーカ５の周囲を囲む板材によって構成されている。支持部材４０Ｃには、その板厚方向に貫通する貫通孔４１が形成されている。
すなわち、本実施形態の打楽器１Ｃでは、スピーカ５及び支持部材４０Ｃによってシェル２の内部空間をシェル２の軸方向に分割しているが、分割されたシェル２の二つの内部空間は、支持部材４０Ｃの貫通孔４１を通してつながっている。
【００３１】
本実施形態の打楽器１Ｃにおいて、ヘッド３は、例えば第一実施形態と同様に形成されてもよい。本実施形態では、各ヘッド３の内側膜部２１に、その厚さ方向に貫通する開口孔２３Ｃが形成されている。
開口孔２３Ｃの大きさや形成位置は、任意であってよい。本実施形態において、開口孔２３Ｃは、内側膜部２１のうちシェル２の開口１１の縁部１１Ａに近い領域に形成されている。開口孔２３Ｃは、例えば一つだけ形成されてもよいが、本実施形態では複数形成されている。複数の開口孔２３Ｃは、例えばシェル２の周方向に間隔をあけて配列されてよい。
【００３２】
以上説明したように、本実施形態の打楽器１Ｃによれば、第一実施形態と同様の効果を奏する。
また、本実施形態の打楽器１Ｃによれば、スピーカ５は、音をシェル２の開口１１に向けて出力するように配されている。このため、スピーカ５から出力された音を、シェル２の開口１１から外部に放射することができる。一方、ヘッド３の打撃音などヘッド３の振動に伴って発生する生の音（振動音）も、主にシェル２の開口１１から外部に放射される。図２においては、ヘッド３の振動音の主な伝播方向を矢印Ｄ４で示している。すなわち、スピーカ５の音を、打楽器１Ｃの生の音と同じ方向に放射できる。これにより、スピーカ５から出力される音の定位性を改善することができる。
以上のことから、打楽器１Ｃの演奏者は、演奏者よりも打楽器１Ｃから離れた位置において打楽器１Ｃの演奏を聴く聴者と同様の感覚で、ヘッド３を打撃した音、及び、スピーカ５の音の両方を聞き取ることができる。
【００３３】
また、本実施形態の打楽器１Ｃでは、第一実施形態のようにシェル２の壁部１３に貫通孔を形成することなく、スピーカ５から出力される音の定位性を改善することができる。すなわち、貫通孔を形成しない従来周知のシェル２を用いることができる。
【００３４】
また、本実施形態の打楽器１Ｃでは、スピーカ５の音がシェル２の開口１１に取り付けられたヘッド３（内側膜部２１）に向けて伝播する。このため、スピーカ５の音によってヘッド３を積極的に振動させて、ヘッド３の振動音を打楽器１Ｃの外部に放射することもできる。特に、スピーカ５から出力する音の周波数をヘッド３の固有振動数にあわせた場合には、スピーカ５の音によってヘッド３を効率よく振動させて、ヘッド３の振動音をより大きくすることができる。
【００３５】
また、本実施形態の打楽器１Ｃによれば、ヘッド３（内側膜部２１）に開口孔２３Ｃが形成されている。このため、スピーカ５の音の出力が小さくても、図２において矢印Ｄ５で示すように、スピーカ５の音をヘッド３の開口孔２３Ｃを通して効率よく打楽器１Ｃの外部に放射することができる。これにより、打楽器１Ｃの演奏者等がスピーカ５の音を聞き取りやすくなる。
【００３６】
〔第三実施形態〕
次に、図３を参照して本発明の第三実施形態について説明する。本実施形態では、第一実施形態と同様の構成要素について同一符号を付す等して、その説明を省略する。
【００３７】
図３に示すように、本実施形態の打楽器１Ｄは、第一実施形態と同様のシェル２と、ヘッド３と、スピーカ５と、を備える。
その上で、本実施形態の打楽器１Ｄでは、ヘッド３やフープ６等の打楽器１Ｄの所定部位に対する打撃に応じてスピーカ５が音を出力する。具体的に、本実施形態の打楽器１Ｄは、センサ７と、スピーカ駆動部８と、を備える。
【００３８】
センサ７は、例えばマイク等のように音を検出するものであってよいし、例えば振動を検出するものであってよい。センサ７の検出対象は、ヘッド３やフープ６等の打楽器１Ｄの所定部位に対する打撃に伴って発生する音や振動であってよい。センサ７は、少なくとも打楽器１Ｄの所定部位に対する打撃に伴って発生する音や振動を検出するように設けられればよい。センサ７は、例えばシェル２やフープ６、スピーカ５に設けられてもよいし、例えば打楽器１Ｄに対して間隔をあけた位置に設けられてもよい。また、センサ７は、例えばシェル２の外側及び内部のいずれに設けられてもよい。センサ７は、例えばヘッド３に接触するようにシェル２の外側に配されてもよい。
【００３９】
本実施形態のセンサ７は、スティック等で打撃される第一ヘッド３Ａに接触するようにシェル２の内部に設けられ、主に第一ヘッド３Ａの振動を検出する。
センサ７は、検出された振動を電気信号に変換し、検出信号としてスピーカ駆動部８に出力する。センサ７からスピーカ駆動部８への検出信号の伝達は、センサ７とスピーカ駆動部８とを接続する配線により行ってもよいし、無線通信により行ってもよい。
【００４０】
スピーカ駆動部８は、センサ７から出力された検出信号に基づいてスピーカ５に入力信号を出力することでスピーカ５を駆動する。これにより、本実施形態の打楽器１Ｄでは、打楽器１Ｄの所定部位に対する打撃に応じてスピーカ５から音を出力することができる。
スピーカ駆動部８の具体的な構成は、任意であってよい。本実施形態のスピーカ駆動部８は、音源５１と、アンプ５２（オーディオアンプ）と、を備える。
【００４１】
音源５１には、所定の音色や音響特性を表す音データが記憶されていてよい。音源５１には、例えば複数種類の音データが記憶されていてもよい。この場合、音源５１は、所定の音データを選択する機能を有してよい。また、音源５１は、例えば所望の音色や音響特性を有する音データを作成する機能を有してもよい。
音源５１は、センサ７から検出信号が入力された際に、音データに基づいて音信号を生成する。音源５１は、例えば生成した音信号を、入力信号として直接スピーカ５に出力してもよい。本実施形態の音源５１は、生成した音信号をアンプ５２に出力する。アンプ５２は、音源５１から出力された音信号を増幅した上で、入力信号としてスピーカ５に出力する。
【００４２】
スピーカ駆動部８は、例えばシェル２の内部に配されてもよいが、本実施形態ではシェル２の外部に配されている。スピーカ駆動部８からスピーカ５への入力信号の伝達は、スピーカ駆動部８とスピーカ５とを接続する配線により行ってもよいし、無線通信により行ってもよい。
【００４３】
以上説明したように、本実施形態の打楽器１Ｄによれば、第一実施形態と同様の効果を奏する。
また、本実施形態の打楽器１Ｄでは、ヘッド３等の打楽器１Ｄの所定部位を打撃することでスピーカ５から音を出力することができる。このため、打楽器１Ｄの所定部位を打撃した生の音とスピーカ５から出力された音とが混ざった音を、打楽器１Ｄから外部に放射できる。したがって、打楽器１Ｄから放射される音（特に音色や音響特性）の多様化をさらに図り、打楽器１Ｄの表現力の向上をさらに図ることができる。
【００４４】
また、スピーカ５から出力される音の音色や音響特性を、打楽器１Ｄの所定部位を打撃した生の音の音色や音響特性と同じとすれば、スピーカ５から出力される音を生の音に上乗せして、打楽器１Ｄから放射される音の音量を上げることもできる。
【００４５】
上記第三実施形態において、スピーカ駆動部８は、例えばセンサ７において検出された音や振動の波形をそのまま入力信号としてスピーカ５に出力するように構成されてもよい。また、スピーカ駆動部８は、例えば音源５１を備えず、センサ７において検出された音や振動の波形をアンプ５２において増幅した上で、入力信号としてスピーカ５に出力してもよい。
このように音や振動の波形に基づく音をスピーカ５から出力する場合には、音源５１が無くても、演奏者が打楽器１Ｄの所定部位を打撃した生の音と同じ音色や音響特性の音をスピーカ５から出力することができる。
【００４６】
また、スピーカ駆動部８は、例えばセンサ７や音源５１から出力された信号（検出信号、音信号）に対して各種のエフェクト（効果）を付与するエフェクタを備えてもよい。エフェクトの種類は、リバーブやディストーションなど任意であってよい。エフェクタは、センサ７や音源５１から出力された信号に任意のエフェクトを付与した上で、アンプ５２やスピーカ５に出力してよい。これにより、スピーカ５からエフェクトが付与された音を出力することができる。
【００４７】
第三実施形態において、スピーカ５は、例えば打撃される打楽器１Ｄの部位に応じて異なる音を出力してもよい。
この場合、打楽器は、例えば図４に示すように、センサ７（７Ａ，７Ｂ，７Ｃ）を複数備え、複数のセンサ７は、打楽器のうち互いに異なる部位に設けられてよい。このような構成では、複数のセンサ７が、打楽器のうち互いに異なる部位の音や振動を検出することができる。また、スピーカ駆動部８は、例えば複数のセンサ７のうち一つ又は複数から出力された検出信号に応じて、スピーカ５に異なる入力信号を出力してスピーカ５を駆動してよい。これにより、打撃される打楽器の部位に応じてスピーカ５から異なる音を出力することができる。
【００４８】
図４に例示する打楽器では、第一センサ７Ａがヘッド３に設けられ、主にヘッド３の振動や音を検出する。また、第二センサ７Ｂはシェル２に設けられ、主にシェル２の振動や音を検出する。また、第三センサ７Ｃはフープ６に設けられ、主にフープ６の振動や音を検出する。このような構成では、ヘッド３を打撃した際にスピーカ５から出力される音と、シェル２を打撃した際にスピーカ５から出力される音と、フープ６を打撃した際にスピーカ５から出力される音と、を互いに異ならせることができる。
【００４９】
また、複数のセンサ７は、例えば同一のヘッド３のうち互いに異なる部位に設けられてもよい。この場合には、同一のヘッド３のうち打撃される領域に応じてスピーカ５から異なる音を出力することができる。同様にして、複数のセンサ７は、例えばシェル２のうち互いに異なる部位に設けられてもよいし、例えば同一のフープ６のうち互いに異なる部位に設けられてもよい。
【００５０】
上記したように、打撃される打楽器の部位に応じてスピーカ５から異なる音が出力される場合には、打楽器から放射される音の多様化をさらに図り、打楽器の表現力、機能性の向上を図ることができる。
【００５１】
上記した第三実施形態の構成は、第一実施形態の打楽器１に適用されることに限らず、例えば第二実施形態の打楽器１Ｃに適用されてもよい。
【００５２】
以上、本発明について詳細に説明したが、本発明は上記実施形態に限定されるものではなく、本発明の趣旨を逸脱しない範囲において種々の変更を加えることが可能である。
【００５３】
本発明の打楽器において、スピーカは、例えばシェルの開口及びシェルの壁部の両方に向けて音を出力するように配されてもよい。すなわち、スピーカから出力される主な音が、シェルの軸方向及び径方向の両方に伝播し、シェルの開口及びシェルの壁部の両方に直接到達してもよい。この場合、打楽器は、例えばシェルの開口及びシェルの壁部の両方に向けて音を出力するスピーカを備えてもよい。具体的には、第一、第二実施形態と同様のスピーカ５（振動板３２がコーン形状であるスピーカ５）を、加振器３１及び振動板３２の配列方向がシェルの径方向及び軸方向の両方に対して傾斜するように配してもよい。また、打楽器のスピーカが、全方位に音を放射するように構成されてもよい。また、打楽器は、例えば音をシェルの壁部に向けて出力するように配された第一実施形態と同様の第一スピーカ、及び、音をシェルの開口に向けて出力するように配された第二実施形態と同様の第二スピーカの両方を備えてもよい。
このような打楽器によれば、第一、第二実施形態の両方の効果を奏し得る。
【符号の説明】
【００５４】
１，１Ｃ，１Ｄ…打楽器、２…シェル、３…ヘッド、３Ａ…第一ヘッド、３Ｂ…第二ヘッド、５…スピーカ、７，７Ａ，７Ｂ，７Ｃ…センサ、８…スピーカ駆動部、１１…開口、１３…壁部
【図１】
2018189911.tif 000003
【図２】
2018189911.tif 000004
【図３】
2018189911.tif 000005
【図４】
2018189911.tif 000006